(57)【特許請求の範囲】
【請求項１】
コンクリート製品への埋込部が型枠内にあり、露出部が型枠外へ出るように型枠に支持させた埋込部材の露出部を、型枠に取付けてばねにより弾圧させた開閉式の固定手段の挟持部により挟持させると埋込部材が型枠へ固定され、開閉式の固定手段を型枠に支持される開き手段より開かせて挟持部を露出部から離れさせると埋込部材が型枠から離脱されるようにした埋込部材の固定装置であって、
開閉式の固定手段を弾圧させるばねが埋込部材の露出部と型枠の孔との隙間よりノロが漏出する範囲より外側に独立して設けられ、固定手段に対称的な押付力を作用させるものであることを特徴とする埋込部材の固定装置。
【請求項２】
挟持部を有する開閉式の埋込部材の固定手段と、固定手段を弾圧させるばねと、固定手段を開かせる開き手段とを１つの支持枠に支持させて、ユニット化したことを特徴とする請求項１記載の埋込部材の固定装置。
【請求項３】
埋込部材と開閉式の固定手段とが所定の間隔で複数配置される場合、開閉式の固定手段を開かせる開き手段を共通の軸に装着して、この軸の操作により複数の開き部材を連動させて複数の固定部材の同時開閉を行なわせるようにしたことを特徴とする請求項１または請求項２に記載の埋込部材の固定装置。
【発明の詳細な説明】
【０００１】
【発明の属する技術分野】
本発明はコンクリート型枠へ埋込部材を固定させる固定装置に関する。
【０００２】
【従来の技術】
コンクリート製品への埋込部が型枠内にあり、露出部が型枠外へ出るように型枠に支持させた埋込部材の露出部を、型枠に取付けてばねにより弾圧させた開閉式の固定手段の挟持部により挟持させると埋込部材が型枠に固定され、開閉式の固定手段を型枠に支持される開き手段より開かせて挟持部を露出部から離れさせると埋込部材が型枠から離脱されるようにした埋込部材の固定装置は特開平７−２３３６３１号公報により知られている。
【０００３】
しかしながらこの装置は、埋込部材の固定部材を弾圧させるばねが一対の固定部材の間に設けられて両固定部の引き寄せを行なうコイルスプリングである。このためコンクリート製品の成形時、埋込部材の露出部と型枠の孔との隙間から漏出したノロがばねにかかって硬化するとばね機能を失わせるので、成形を終わる都度、ばねからノロを除去しなければならない問題点があり、更に、ばねによる引き寄せでは左右の固定部材による露出部の挟持が不均衡となって埋込部材の正確で安定した取付けができにくい問題点もあった。
【０００４】
【発明が解決しようとする課題】
本発明は前記問題点に鑑み、埋込部材の露出部と型枠の孔との隙間からノロが洩れてもばねには付着することがなくて、左右の固定部材による露出部の挟持が均衡して行なわれるため、埋込部材の正確で安定した型枠への取付けが容易にできる埋込部材の固定装置を提供することをその課題とする。
【０００５】
【課題を解決するための手段】
（１）前記課題を解決するため本発明に埋込部材の固定装置は、コンクリート製品への埋込部が型枠内にあり、露出部が型枠外へ出るように型枠に支持させた埋込部材の露出部を、型枠に取付けてばねにより弾圧させた開閉式の固定手段の挟持部により挟持させると埋込部材が型枠に固定され、開閉式の固定手段を型枠に支持される開き手段より開かせて挟持部を露出部から離れさせると埋込部材が型枠から離脱されるようにした埋込部材の固定装置であって、
開閉式の固定手段を弾圧させるばねが埋込部材の露出部と型枠との隙間よりノロが漏出する範囲より外側に独立して設けられ、開閉式の固定手段に対称的な押付力を作用させるようにした構成を採用することを特徴とする。
【０００６】
（２）挟持部を有する開閉式の埋込部材の固定手段と、固定手段を弾圧させるばねと、固定手段を開かせる開き手段とを１つの支持枠に支持させてユニット化した構成を採用することが好ましい。
【０００７】
（３）埋込部材と開閉式の固定手段とが所定の間隔で複数配置される場合、開閉式の固定手段を開かせる開き手段を共通の軸に装着して、この軸の操作により複数の開き部材を連動させ複数の固定部材の同時開閉を行なわせるようにした構成を採用することが好ましい。
【０００８】
【発明の実施の形態】
図１は本発明に係る埋込部材の固定装置Ａをコンクリート枕木の成形用型枠に実施した形態を示す。この実施形態における装置Ａはコンクリート枕木（図面省略）を形成する型枠１と、この型枠１の底部等に埋込部３ａが型枠１内にあり、露出部３ｂが型枠１外へ出るように支持させた埋込部材３と、型枠１に取付けてばね４，４による弾圧で閉じさると挟持部５ａ，５ａによって埋込部材３の露出部３ｂを挟持する開閉式の埋込部材３の固定手段５，５と、型枠１に支持させてばね４，４により閉じられる開閉式の固定手段５、５を開かせる開き手段６とにより構成される。
【０００９】
前記装置Ａの型枠１は、底部２の埋込部材３を設置する位置に周縁の下部に段部７を設けた窓状の受部８を設け、この受部８に所定の間隔で２個の孔９を設けた座板１０を係合させて、該座板１０の孔９に下方へ露出するように埋込部材３の露出部３ｂを支持させると、埋込部材３が座板１０を介して型枠１の底部等２に取付けられるものであって、前記座板１０を係合させる受部８は必要とする調整範囲だけ座板１０よりも大きく形成して、この調整範囲内において座板１０を移動させて埋込部材３の設置位置を調整することができるようにする。
【００１０】
埋込部材３は、その露出部３ｂを座板１０の孔９に係合させれば、型枠１における底部２の希望する設置位置へ位置決めすることはできる。しかし、埋込部材３の固定は行なわれないので、露出部２ｂの両側に孔か凹みの係止部１１，１１を設けて、これら係止部１１，１１に開閉式の固定手段５，５の挟持部５ａ，５ａを係合させると、コンクリートの打設圧が作用しても埋込み部材５，５が動くことのない確実な底部等２への固定が行なわれる。
【００１１】
開閉式の埋込部材２の固定手段５，５と、これを弾圧させるばね４，４と、閉じられた固定手段５，５を開かせる開き手段６とはユニット化すると、製作や取付等が容易になるため、型枠１の底部２の下側に支持枠１２を取付けてこの支持枠１２に支持させる。そして、支持枠１２の埋込部材３の固定手段５，５を取付ける部分には、固定手段５，５の取付板１３，１３を摺動片１４，１４により移動可能に取付けてある。
【００１２】
埋込部材３の固定手段５，５は、くの字形と逆くの字形とを成すように形成されて、中間部を取付板１３へ軸１５により回動自在に取付けられ、上端には埋込部材３の係止部１１に係合させる挟持部５ａを設けられて、下端には隣接する固定手段５の下端との間に渡された軸１６に嵌合した受動ローラ１７を設けられている。
【００１３】
固定手段５，５を弾圧させるばね４，４は、コイル部４ａと、その下側に張り出させた固定部４ｂと、上側に張り出させた可動部４ｃとが固定部材５を挟むように２組連設された構造であって、固定部４ｂを取付板１３にあけられた孔１８に係合させ、可動部４ｃを固定手段５の上部の背面に係合させて、一対の固定手段５，５に対し対称的な押付力が作用されるようにしてある。
【００１４】
ばね４，４に弾圧されて閉じる固定手段５，５を開かせる開き手段６は、支持枠１２を左右の方向に貫通する軸１９に受動ローラ１７に対応させて取付けられた偏心円とうカムを用い、この偏心円とうカム６を軸１９により回転させて大偏心部を受動ローラ１７，１７に係合させると固定手段５，５がばね４，４の弾力に抗して開かれ、小偏心部を受動ローラ１７，１７に対応させると固定手段５，５がばね４，４の弾力により閉じられるようにする。
【００１５】
前記偏心円とうカム６は、図３に示すような対称形の両斜面カムに変更し、その両側の斜面に固定手段５，５の下端に軸１６着した受動ロ―ラ１７を係合させる構成としても同様に機能する。即ち、軸１９により両斜面カム６を回転させて斜面の高所を受動ローラ１７，１７に係合させると固定手段５，５がばね４，４の弾力に抗して開かれ、斜面の低所を受動ローラ１７，１７に対応させるときは固定手段５，５がばね４，４の弾力によって閉じられる。
【００１６】
前記実施形態に示す装置Ａは、埋込部材２の固定手段４，４を開き手段６により図１に鎖線で示すように開かせて置いて、座板１０の孔９に埋込部材３の露出部３ｂを挿し入れて座板１０の下側へ露出させ、固定手段５，５を開き手段６により閉じさせるようにすれば、固定手段５，５はばね４，４のの弾力によって閉じられて、上端の挟持部５ａ，５ａで埋込部材３の露出部３ｂに設けられた係止部１１，１１を強く挟持すると共に下方への押付力を作用させる。従って、埋込部材３は型枠１における底部２の希望する位置へ強固に固定されて、型枠１内へコンクリートを打設すれば埋込部材２が埋設されたコンクリート枕木を形成することができる。
【００１７】
前記のように型枠１内にコンクリート枕木が形成されて離型できる状態になれば、開き手段６により固定手段５，５はばね４，４の弾力に抗して鎖線で示すように開かせると、挟持部５ａ，５ａが埋込み部材３の露出部３ｂ，３ｂに設けられる係止部１１，１１から離れさせるため、この状態において型枠１を開いて形成されたコンクリート枕木の離型を行なえば、埋込み部材３はコンクリート枕木に伴なわれて型枠１の底部２から離脱される。
【００１８】
前記埋込部材３の型枠１の底部等２への固定および離脱は、図４に示すように型枠１の２本が平行に配列される２本連や、図面には示してないが型枠１の３本、５本等が平行に配列される３本連、５本連等の場合は、各連の型枠１の底部２にそれぞれ設けられる固定装置Ａの支持枠１２に一連の軸１９を挿し通して、この軸１９に各固定装置Ａの固定手段５，５に対応させて開き部材６を設けて置けば、軸１９の回転によって各固定手段５，５の開き手段６を連動回転させると、その回転方向により複数の固定部材５，５が同時に開かれたり閉じられたりする。従って、２本連、３本連、５本連等の型枠１に対する埋込部材３の固定および解除が一操作で簡単に行なわれる。
【００１９】
前記一操作による型枠１への埋込部材３の固定および解除は、１本の型枠１に複数組の埋込部材３が配設される場合も同様に行なわれる。但し、この場合は埋込部材３の固定手段５，５を開かせる開き手段６の軸１９を図７に示すように型枠１の長手方向に一連に配設しなければならない。このため、軸１９は図５に示すように各組の固定手段５，５の間に位置するように支持枠１２に支持させて、各固定部材５，５に対応する部分に開き手段６としての板カムを固定され、この板カムの大偏心部が固定手段５，５に係合すると固定手段５，５が開かれ、小偏心部が固定手段５，５に対応すると固定手段５，５がばね４，４により閉じられる。なお、この固定手段５，５は軸１５に支持される部分より下側の部分は不用であるため図４に示す形状とする。
【００２０】
前記構成によれば、軸１９を回転させると各固定手段５，５の開き手段６が連動回転されて、その回転方向により複数の固定部材５，５を開かせたり閉じさせたりする。従って、１本の型枠１内に所定の間隔で複数組の埋込部材３が配設される場合も、型枠１に対する埋込部材３の固定および解除を一操作で行なうことができる。
【００２１】
図７は本発明の装置Ａにより、型枠１からの露出部を有しない埋込栓と呼ばれる埋込部材３を型枠１へ固定する実施形態を示す。この実施形態は埋込部材３に下方へ開口するめねじ２０を備えさせて、めねじ２０に取付部材２１を螺合させることにより埋込部材３に露出部材２２を取付ける。そして、この露出部材２２には固定手段５，５の挟持部５ａ，５ａを係合させる係止部１１を形成させる。
【００２２】
前記構成によれば、埋込部材３に取付けられた露出部材２２を型枠１の底部２にあけた孔９から底部２の下側へ露出させると、露出部材２２に設けられた係止部１１に固定手段５，５の挟持部５ａ，５が対応するから、この状態において開き手段６により図７に鎖線で示すように開かれている固定手段５，５を閉じさせるようにすれば、固定手段５，５はばね４，４に弾圧されて挟持部５ａ，５により露出部材２２の係止部１１を強く挟持すると共に、下方への押し下げ力をも作用させる。従って、埋込部材３は型枠１の底部２へ確実に固定されて型枠１内へコンクリートを打設すると、埋込部材３が埋入されたコンクリート枕木等の製品を成形することができる。
【００２３】
前記のように製品が成形されてこれを離型するときは、開き手段６により固定手段５，５を図７に実線で示すように開かせると、挟持部５ａ，５ａが露出部材２２の係止部１１から外れさせる。従って、これに伴ない型枠１を開いて製品の離型を行なえば、露出部材２２は製品に伴なわれて型枠１より離脱されるので、離型された製品に埋入されている埋込部材３のめねじ２０から取付部材２１を外して露出部材２２を取り去れば、露出部のない埋込部材３が所定位置に正確に埋設されたコンクリート枕木等の製品が得られるもので、この実施形態も固定手段５，５の開き手段６を図６に示すように配設すれば、１本の型枠１に複数組配設されている固定手段５，５を連動して開かせたり閉じさせたりして、型枠１に対する埋込部材３の固定および解除を一操作で行なうことができる。
【００２４】
本発明に係る埋込部材の固定装置Ａは、前記実施形態に示すようにコンクリート枕木を成形する型枠１に使用されるだけでなく、レール敷設用のコンクリートスラブにも同様に使用することができるものであり、コンクリートスラブへの実施形態は前記したコンクリート枕木の形成型枠１への実施形態に準ずるものであるから、コンクリートスラブへの実施形態の図面並びに説明は省略する。
【００２５】
【発明の効果】
請求項１の効果
露出部を有する埋込部材を簡単な操作で迅速確実に型枠へ固定して製品中へ埋入することができ、又、製品の成形後は埋込部材を製品の脱型に伴ない容易に型枠から離脱することができて、しかも、この装置は型枠の下側への設置に適して、部品数が少ない簡単な構成であるため安価に製作できて故障や損傷の発生が少ない。
【００２６】
埋込部材の露出部と型枠の孔との隙間からノロ洩れが生じても、固定部材を弾圧させるばねにはノロが掛からない。このため、ばねの掃除に手数を煩わすことがなくて、ばねの機能を常に安定して確実に果たさせ得る。
【００２７】
一対の固定部材を弾圧させるばねが独立して左右から対称的な押し付け力を作用させるように設けられるから、固定手段による露出部の挟持は左右均衡して行なわれ埋込部材の正確で安定した型枠への固定ができる。
【００２８】
請求項２の効果  埋込部材の固定手段、固定手段を弾圧させるばね、固定手段を開かせる開き手段を支持枠に支持させてユニット化すれば、精度の高い装置が簡単に製作されて、型枠への取付けも容易に行なわれ、調整不要で確実に動作する。
【００２９】
請求項３の効果  １本の型枠に設けられた複数組の固定手段、または２本、３本、５本等の並列型枠に設けられた複数組の固定手段を開閉させる開き手段を１本の軸に取付けて連動させるようにしたから、複数組の埋込部材を型枠へ固定したり、解除したりすることも一操作で簡単に行なわれて作業の能率が著しく高められる。
【図面の簡単な説明】
【図１】本発明に係る埋込部材の固定装置の構成を示す縦断側面図
【図２】同上の縦断正面図
【図３】同上の開き手段のカムの変形例を示す一部の縦断側面図
【図４】同上装置の複数を２本連の型枠へ連動させるように装備した縦断側面図
【図５】この装置の固定手段を開閉させる開き手段の他の実施形態の縦断側面図
【図６】同上の縦断正面図
【図７】同上装置の複数を１本の型枠へ連動させるように装備した縦断側面図
【図８】この装置を露出部がない埋込部材の固定に使用した縦断側面図
【符号の説明】
Ａ  固定装置
１  型枠
２  底部
３  埋込部材
３ａ  埋込部
３ｂ  露出部
４  ばね
５  固定手段
５ａ  挟持部
６  開き手段
９  孔
【図１】
0004494657.tif 000002
【図２】
0004494657.tif 000003
【図３】
0004494657.tif 000004
【図４】
0004494657.tif 000005
【図５】
0004494657.tif 000006
【図６】
0004494657.tif 000007
【図７】
0004494657.tif 000008
【図８】
0004494657.tif 000009